(57)【要約】【課題】色測定用チャートに定められた管理対象色として紙白を含まない場合に、紙白の色特性の値の測定を実施可能とし、ドットゲインの管理を行う色管理方法及び色管理システムを提供すること。【解決手段】管理の初期に色測定用チャートの管理対象色に紙白が含まれているか否か判定し、紙白が含まれていない場合に、紙白の色特性の値及び管理対象色の色特性の値の入力を受け、さらに管理時期には管理対象色の色特性の値の入力を受けて、紙白の色特性の値と管理対象色の色特性の値とを用いて色管理情報生成手段５１でドットゲインを算出する。【選択図】図１
2007223131.tif 000002
【特許請求の範囲】
【請求項１】
管理の初期に、それぞれに管理対象色が予め定められた複数の色測定用チャートの中のいずれかであり、画像出力装置から出力され、管理の基準値を取得するための色測定用チャートの指定を受け、該色測定用チャートについての管理対象色に紙白が含まれているか否かを判定する判定段階と、
前記判定により紙白が含まれていないと判定された場合に、前記画像出力装置において出力された色測定用チャートを測定して得られる紙白及び管理対象色の色特性の値を受けて、前記基準値として記憶する記憶段階と、
管理時期に、前記基準値を取得した色測定用チャートと同じ色測定用チャートであり前記画像出力装置において出力された色測定用チャートを測定して得られる管理対象色の色特性の値を受けて、その色特性の値を管理値とし、前記記憶された基準値を読み出し、前記基準値のドットゲインを前記基準値の紙白及び管理対象色の色特性の値とを用いて算出し、前記管理値のドットゲインを前記基準値の紙白の色特性の値及び前記管理値の管理対象色の色特性の値とを用いて算出する算出段階と、
前記算出された基準値に対するドットゲイン及び前記管理値に対するドットゲインとを用いて前記画像出力装置の出力する色の管理を行う段階とを含むことを特徴とする色管理方法。
【請求項２】
前記判定により紙白が含まれていないと判定された場合に、表示手段に、紙白の色特性の値を前記基準値として取得するか否かを選択可能に表示する段階をさらに含み、
前記記憶段階は、前記表示を用いて前記紙白の色特性の値を前記基準値として取得する選択がなされたときに、前記画像出力装置において出力された色測定用チャートを測定して得られる紙白及び管理対象色の色特性の値を受けて、前記基準値として記憶する請求項１に記載の色管理方法。
【請求項３】
前記算出された基準値に対するドットゲイン及び前記管理値に対するドットゲインとを分析し編集し、その結果を表示するための表示情報を生成する段階をさらに含む請求項１または請求項２に記載の色管理方法。
【請求項４】
前記色特性の値は少なくとも濃度で、
前記管理対象色は少なくともベタ及び中間色を含み、
前記算出段階において、前記各ドットゲインを前記紙白の濃度、前記ベタ濃度及び前記中間色濃度を用いて算出する請求項１乃至請求項３のいずれかに記載の色管理方法。
【請求項５】
拠点ごとに設置された複数の画像出力装置と、
前記複数の画像出力装置の出力する色の管理を行う管理サーバとを含む色管理システムにおける色管理方法であって、
管理の初期に、
前記拠点毎に配置され、前記管理サーバとはネットワークを介して接続された端末装置において、それぞれに管理対象色が予め定められた複数の色測定用チャートの中のいずれかであり、画像出力装置から出力され、管理の基準値を取得するための色測定用チャートの指定を受け、該色測定用チャートについての管理対象色に紙白が含まれているか否かを判定する判定段階と、
前記判定により紙白が含まれていないと判定された場合に、前記画像出力装置において出力された色測定用チャートを測定して得られる紙白及び管理対象色の色特性の値を受けて、前記基準値として前記管理サーバに送信する第１送信段階と、
前記管理サーバにおいて、前記端末装置から送信される前記基準値を記憶する段階と、
管理時期に、
前記端末装置において、前記基準値を取得した色測定用チャートと同じ色測定用チャートであり前記画像出力装置において出力された色測定用チャートを測定して得られる管理対象色の色特性の値を受けて、管理値として前記管理サーバに送信する第２送信段階と、
前記管理サーバにおいて、前記端末装置から送信される前記管理値を受けて、前記記憶された基準値を読み出し、前記基準値のドットゲインを前記基準値の紙白及び管理対象色の色特性の値とを用いて算出し、前記管理値のドットゲインを前記基準値の紙白の色特性の値及び前記管理値の管理対象色の色特性の値とを用いて算出する算出段階と、
前記算出された基準値に対するドットゲイン及び前記管理値に対するドットゲインとを用いて前記複数の画像出力装置の出力する色の管理を行う段階とを含むことを特徴とする色管理方法。
【請求項６】
前記判定により紙白が含まれていないと判定された場合に、表示手段に、紙白の色特性の値を前記基準値として取得するか否かを選択可能に表示する段階をさらに含み、
前記第１送信段階は、前記表示を用いて前記紙白の色特性の値を前記基準値として取得する選択がなされたときに、前記画像出力装置において出力された色測定用チャートを測定して得られる紙白及び管理対象色の色特性の値を受けて、前記基準値として前記管理サーバに送信する請求項５に記載の色管理方法。
【請求項７】
前記管理サーバにおいて、
前記算出された基準値に対するドットゲイン及び前記管理値に対するドットゲインとを分析し編集し、その結果を表示するための表示情報を生成する段階をさらに含む請求項５または請求項６に記載の色管理方法。
【請求項８】
前記色測定の値は少なくとも濃度で、
前記管理対象色は少なくともベタ及び中間色を含み、
前記算出段階において、前記各ドットゲインを前記紙白の濃度、前記ベタ濃度及び前記中間色濃度を用いて算出する請求項５乃至請求項７のいずれかに記載の色管理方法。
【請求項９】
管理の初期に、それぞれに管理対象色が予め定められた複数の色測定用チャートの中のいずれかであり、画像出力装置から出力され、管理の基準値を取得するための色測定用チャートの指定を受け、該色測定用チャートについての管理対象色に紙白が含まれているか否かを判定する判定手段と、
前記判定により紙白が含まれていないと判定された場合に、前記画像出力装置において出力された色測定用チャートを測定して得られる紙白及び管理対象色の色特性の値を受けて、前記基準値として記憶する記憶手段と、
管理時期に、前記基準値を取得した色測定用チャートと同じ色測定用チャートであり前記画像出力装置において出力された色測定用チャートを測定して得られる管理対象色の色特性の値を受けて、その色特性の値を管理値とし、前記記憶された基準値を読み出し、前記基準値のドットゲインを前記基準値の紙白及び管理対象色の色特性の値とを用いて算出し、前記管理値のドットゲインを前記基準値の紙白の色特性の値及び前記管理値の管理対象色の色特性の値とを用いて算出する算出手段とを備え、
前記算出された基準値に対するドットゲイン及び前記管理値に対するドットゲインとを用いて前記画像出力装置の出力する色の管理を行うことを特徴とする色管理システム。
【請求項１０】
拠点ごとに設置された複数の画像出力装置と、
前記複数の画像出力装置の出力する色の管理を行う管理サーバとを含む色管理システムであって、
前記拠点毎に配置され、前記管理サーバとはネットワークを介して接続された複数の端末装置を含み、
前記端末装置は、
管理の初期に、それぞれに管理対象色が予め定められた複数の色測定用チャートの中のいずれかであり、画像出力装置から出力され、管理の基準値を取得するための色測定用チャートの指定を受け、該色測定用チャートについての管理対象色に紙白が含まれているか否かを判定する判定手段と、
前記管理の初期に、前記判定により紙白が含まれていないと判定された場合に、前記画像出力装置において出力された色測定用チャートを測定して得られる紙白及び管理対象色の色特性の値を受けて、前記管理サーバに送信し、管理時期に、前記基準値を取得した色測定用チャートと同じ色測定用チャートであり前記画像出力装置において出力された色測定用チャートを測定して得られる管理対象色の色特性の値を受けて、管理値として前記管理サーバに送信する送信手段とを備え、
前記管理サーバは、
前記管理の初期に、前記端末装置から送信される前記基準値を記憶する記憶手段と、
前記管理時期に、前記端末装置から送信される前記管理値を受けて、前記記憶された基準値を読み出し、前記基準値のドットゲインを前記基準値の紙白及び管理対象色の色特性の値とを用いて算出し、前記管理値のドットゲインを前記基準値の紙白の色特性の値及び前記管理値の管理対象色の色特性の値とを用いて算出する算出手段とを備え、
前記算出された基準値に対するドットゲイン及び前記管理値に対するドットゲインとを用いて前記複数の画像出力装置の出力する色の管理を行うことを特徴とする色管理システム。
【発明の詳細な説明】
【技術分野】
【０００１】
本発明は、画像データに基づくカラー画像を出力する画像出力装置の出力色の管理を行う色管理方法及び色管理システムに関し、特にドットゲインを管理するための技術に関する。
【背景技術】
【０００２】
従来、印刷工程における校正のプロセスでは、（１）作業現場内部ミスの確認、すなわち内校、（２）発注主、デザイナーへの仕上がり確認用の提出される外校、（３）印刷機の機長に対して、最終印刷物の見本として提供される印刷見本、の主として３つの用途に対し試し刷りであるカラープルーフが出力される。
【０００３】
そして、校正においては、このようなカラープルーフを用いて、原稿フィルムのレイアウトに間違いないか、色間違いないか、文字の誤りがないか等を検査し、印刷物の仕上がりを事前に確認し、印刷の際には、印刷色を印刷見本の色に合わせるように調整が行われる。
【０００４】
そのために出力装置から出力されるカラープルーフの色彩や濃度は、所定の基準を満たすことが望まれる。そこで、例えば、出力装置である印刷機やプリンタ等のカラーマネージメントを行うためのＩＣＣプロファイルを、受け付ける対象となる出力装置のカラーパッチの測色結果に基づいて提供したり、測色結果に基づいて、ベタ色相、グレーバランス、ドットゲインなどの出力装置の状態の診断を行うことにより、対象の出力装置の出力色が所定の基準を満たすように色管理を行うものがある（例えば、特許文献１参照。）。
【０００５】
一方、従来ばらばらな運用がなされていた色見本をある一定の範囲内で共通に取り扱うことにより、広告業界全体のワークフローを改善するという目的で、雑誌広告デジタル送稿推進評議会のＪＭＰＡカラー（雑誌広告基準カラー）の運用がなされつつある。
【０００６】
これにより、ＪＭＰＡカラー準拠の色基準に色調を合わせ、安定性に優れたＤＤＣＰ（Ｄｉｒｅｃｔ  Ｄｉｇｉｔａｌ  Ｃｏｌｏｒ  Ｐｒｏｏｆ）を色見本として印刷することにより、最終印刷物の色調がこのＤＤＣＰで確認できる。従来行っていた、色校正を印刷会社が作成し、出版社、広告会社、広告主といった前工程に戻す必要のない、ワンウェイのワークフローが実現できる。その結果、余分なコストだけでなく、入稿から印刷までの時間も短縮される。
【０００７】
また、ＪＭＰＡカラーを用いる場合、特許文献１に記載のような色管理のためにわざわざ別のカラーチャートは出力せずに、ＪＭＰＡカラーのＤＤＣＰを用いて行われることが多い。それは、同じ出力物による一元管理が望まれるためである。また、別のカラーチャートをわざわざ出力するための時間や手間の無駄を省くためである。そのために、ＪＭＰＡカラー準拠のＤＤＣＰには「恒常性管理用カラーパッチ（２７パッチ）」が出力され、そのカラーパッチを測定することにより色管理ができるようになっている。図１６に、「恒常性管理用カラーパッチ（２７パッチ）」の各カラーパッチのＣＭＹＫ（Ｃ：シアン、Ｍ：マゼンタ、Ｙ：イエロー、Ｋ：墨色）による色構成を示す。図１６における各パッチの配置は、Ａ４サイズについて規定された配置の一例であり、図中のＣ、Ｍ、Ｙ及びＫの各％値は、白を０％、ベタを１００％として示す濃度値である。また、０％〜１００％の間の０％及び１００％を除く濃度値で示されるものを中間色というものとする。
【０００８】
【特許文献１】特開２００３−４６７９４号公報
【発明の開示】
【発明が解決しようとする課題】
【０００９】
ところが、ドットゲインは、中間調５０％を例とすると、ベタの濃度をｄｘ、中間調（５０％）の濃度をｄｘ（５０）、紙白の濃度をＷ、ｄ１＝ｄｘ−Ｗ、ｄ２＝ｄｘ（５０）−Ｗとすれば、ドットゲインｄｇは、
ｄｇ＝{（１００×（１−１０（−１．０×ｄ２）））／（１−１０（−１．０×ｄ１））}−５０
となる。つまり、ドットゲインは紙白の濃度が用いて求められるものである。しかしながら、図１６（ｂ）に示すように、「恒常性管理用カラーパッチ（２７パッチ）」には、紙白がパッチとして含まれていない。そのために、「恒常性管理用カラーパッチ（２７パッチ）」の測定結果からは、ドットゲインを算出することができない。したがって、ドットゲインを色管理に用いる場合には、わざわざ別のカラーチャートは出力して管理する必要がある。これでは、同じ出力物を用いて色管理をすることができないし、時間や手間の無駄となってしまう。また、１つのカラーチャートによる一元管理ができない。
【００１０】
一方、ドットゲインの管理を必要としない場合もあるから、ドットゲインによる色管理は、状況に応じて実施・不実施が選択できることが望ましい。
【００１１】
本発明は、上記事情に鑑みてなされたものであり、その目的とするところは、色測定用チャートに定められた管理対象色として紙白を含まない場合に、紙白の色特性の値の測定を実施可能とし、紙白の色特性の値を用いてドットゲインの管理を行う色管理方法及び色管理システムを提供することにある。
【課題を解決するための手段】
【００１２】
上記課題を解決するために、請求項１に記載の発明は、管理の初期に、それぞれに管理対象色が予め定められた複数の色測定用チャートの中のいずれかであり、画像出力装置から出力され、管理の基準値を取得するための色測定用チャートの指定を受け、該色測定用チャートについての管理対象色に紙白が含まれているか否かを判定する判定段階と、前記判定により紙白が含まれていないと判定された場合に、前記画像出力装置において出力された色測定用チャートを測定して得られる紙白及び管理対象色の色特性の値を受けて、前記基準値として記憶する記憶段階と、管理時期に、前記基準値を取得した色測定用チャートと同じ色測定用チャートであり前記画像出力装置において出力された色測定用チャートを測定して得られる管理対象色の色特性の値を受けて、その色特性の値を管理値とし、前記記憶された基準値を読み出し、前記基準値のドットゲインを前記基準値の紙白及び管理対象色の色特性の値とを用いて算出し、前記管理値のドットゲインを前記基準値の紙白の色特性の値及び前記管理値の管理対象色の色特性の値とを用いて算出する算出段階と、前記算出された基準値に対するドットゲイン及び前記管理値に対するドットゲインとを用いて前記画像出力装置の出力する色の管理を行う段階とを含むことを特徴としている。
【００１３】
また、請求項２に記載の発明は、前記判定により紙白が含まれていないと判定された場合に、表示手段に、紙白の色特性の値を前記基準値として取得するか否かを選択可能に表示する段階をさらに含み、前記記憶段階は、前記表示を用いて前記紙白の色特性の値を前記基準値として取得する選択がなされたときに、前記画像出力装置において出力された色測定用チャートを測定して得られる紙白及び管理対象色の色特性の値を受けて、前記基準値として記憶することを特徴としている。
【００１４】
また、請求項３に記載の発明は、前記算出された基準値に対するドットゲイン及び前記管理値に対するドットゲインとを分析し編集し、その結果を表示するための表示情報を生成する段階をさらに含むことを特徴としている。
【００１５】
また、請求項４に記載の発明は、前記色特性の値は少なくとも濃度で、前記管理対象色は少なくともベタ及び中間色を含み、前記算出段階において、前記各ドットゲインを前記紙白の濃度、前記ベタ濃度及び前記中間色濃度を用いて算出することを特徴としている。
【００１６】
また、請求項５に記載の発明は、拠点ごとに設置された複数の画像出力装置と、前記複数の画像出力装置の出力する色の管理を行う管理サーバとを含む色管理システムにおける色管理方法であって、前記拠点毎に配置され、前記管理サーバとはネットワークを介して接続された複数の端末装置において、管理の初期に、それぞれに管理対象色が予め定められた複数の色測定用チャートの中のいずれかであり、画像出力装置から出力され、管理の基準値を取得するための色測定用チャートの指定を受け、該色測定用チャートについての管理対象色に紙白が含まれているか否かを判定する判定段階と、前記判定により紙白が含まれていないと判定された場合に、前記画像出力装置において出力された色測定用チャートを測定して得られる紙白及び管理対象色の色特性の値を受けて、前記基準値として前記管理サーバに送信する第１送信段階と、管理時期に、前記基準値を取得した色測定用チャートと同じ色測定用チャートであり前記画像出力装置において出力された色測定用チャートを測定して得られる管理対象色の色特性の値を受けて、管理値として前記管理サーバに送信する第２送信段階と、を含み、前記管理サーバにおいて、前記管理の初期に、前記端末装置から送信される前記基準値を記憶する段階と、前記管理時期に、前記端末装置から送信される前記管理値を受けて、前記記憶された基準値を読み出し、前記基準値のドットゲインを前記基準値の紙白及び管理対象色の色特性の値とを用いて算出し、前記管理値のドットゲインを前記基準値の紙白の色特性の値及び前記管理値の管理対象色の色特性の値とを用いて算出する算出段階と、前記算出された基準値に対するドットゲイン及び前記管理値に対するドットゲインとを用いて前記複数の画像出力装置の出力する色の管理を行う段階とを含むことを特徴としている。
【００１７】
また、請求項６に記載の発明は、前記判定により紙白が含まれていないと判定された場合に、表示手段に、紙白の色特性の値を前記基準値として取得するか否かを選択可能に表示する段階をさらに含み、前記第１送信段階は、前記表示を用いて前記紙白の色特性の値を前記基準値として取得する選択がなされたときに、前記画像出力装置において出力された色測定用チャートを測定して得られる紙白及び管理対象色の色特性の値を受けて、前記基準値として前記管理サーバに送信することを特徴としている。
【００１８】
また、請求項７に記載の発明は、前記管理サーバにおいて、前記算出された基準値に対するドットゲイン及び前記管理値に対するドットゲインとを分析し編集し、その結果を表示するための表示情報を生成する段階をさらに含むことを特徴としている。
【００１９】
また、請求項８に記載の発明は、前記色測定の値は少なくとも濃度で、前記管理対象色は少なくともベタ及び中間色を含み、前記算出段階において、前記各ドットゲインを前記紙白の濃度、前記ベタ濃度及び前記中間色濃度を用いて算出することを特徴としている。
【００２０】
また、請求項９に記載の発明は、管理の初期に、それぞれに管理対象色が予め定められた複数の色測定用チャートの中のいずれかであり、画像出力装置から出力され、管理の基準値を取得するための色測定用チャートの指定を受け、該色測定用チャートについての管理対象色に紙白が含まれているか否かを判定する判定手段と、前記判定により紙白が含まれていないと判定された場合に、前記画像出力装置において出力された色測定用チャートを測定して得られる紙白及び管理対象色の色特性の値を受けて、前記基準値として記憶する記憶手段と、管理時期に、前記基準値を取得した色測定用チャートと同じ色測定用チャートであり前記画像出力装置において出力された色測定用チャートを測定して得られる管理対象色の色特性の値を受けて、その色特性の値を管理値とし、前記記憶された基準値を読み出し、前記基準値のドットゲインを前記基準値の紙白及び管理対象色の色特性の値とを用いて算出し、前記管理値のドットゲインを前記基準値の紙白の色特性の値及び前記管理値の管理対象色の色特性の値とを用いて算出する算出手段とを備え、前記算出された基準値に対するドットゲイン及び前記管理値に対するドットゲインとを用いて前記画像出力装置の出力する色の管理を行うことを特徴としている。
【００２１】
また、請求項１０に記載の発明は、拠点ごとに設置された複数の画像出力装置と、前記複数の画像出力装置の出力する色の管理を行う管理サーバとを含む色管理システムであって、前記拠点毎に配置され、前記管理サーバとはネットワークを介して接続された複数の端末装置を含み、前記端末装置は、管理の初期に、それぞれに管理対象色が予め定められた複数の色測定用チャートの中のいずれかであり、画像出力装置から出力され、管理の基準値を取得するための色測定用チャートの指定を受け、該色測定用チャートについての管理対象色に紙白が含まれているか否かを判定する判定手段と、前記管理の初期に、前記判定により紙白が含まれていないと判定された場合に、前記画像出力装置において出力された色測定用チャートを測定して得られる紙白及び管理対象色の色特性の値を受けて、前記管理サーバに送信し、管理時期に、前記基準値を取得した色測定用チャートと同じ色測定用チャートであり前記画像出力装置において出力された色測定用チャートを測定して得られる管理対象色の色特性の値を受けて、管理値として前記管理サーバに送信する送信手段とを備え、前記管理サーバは、前記管理の初期に、前記端末装置から送信される前記基準値を記憶する記憶手段と、前記管理時期に、前記端末装置から送信される前記管理値を受けて、前記記憶された基準値を読み出し、前記基準値のドットゲインを前記基準値の紙白及び管理対象色の色特性の値とを用いて算出し、前記管理値のドットゲインを前記基準値の紙白の色特性の値及び前記管理値の管理対象色の色特性の値とを用いて算出する算出手段とを備え、前記算出された基準値に対するドットゲイン及び前記管理値に対するドットゲインとを用いて前記複数の画像出力装置の出力する色の管理を行うことを特徴としている。
【発明の効果】
【００２２】
本発明の色管理方法及び色管理システムによれば、指定された色測定用チャートの管理対象色に紙白が含まれていない場合に、紙白の測定を行いドットゲインによる色管理を行うことが可能となる。
【発明を実施するための最良の形態】
【００２３】
以下、本発明に係る色管理システム及び色管理方法の好適な一実施形態について、図面を参照しながら具体的に説明する。
【００２４】
本発明の特徴は、管理の初期に色測定用チャートであるカラーチャートを出力して出力色を測定して得られる色特性の値を色管理の基準（基準値）とし、基準値の測定以降の管理時期に出力される同じカラーチャートを測定して得られる色特性の値を管理値とし、基準値と管理値とを用いて色管理を行うものであって、カラーチャートの管理対象色（以下、測定色という）に紙白を含まない場合に、選択的に紙白の測定を実施し、ドットゲインの管理を行う点にある。
【００２５】
（システム構成）
まず、本発明に係る画像出力システムの制御構成を図１を用いて説明する。図１は、当該画像出力システムのシステム構成を示す機能ブロック図である。図１に示すように当該画像出力システムは、遠隔地にある複数の拠点毎に、記録用紙（記録媒体）に画像データに基づいて画像を出力する画像出力装置２、画像出力装置２に対し画像出力制御を行う制御装置１、及び、画像出力装置２から出力されるカラーチャートのカラーパッチの表色系の値或いは濃度等の色特性の値を測定するための測定手段としての測色計３（図１ではと、それぞれ１ａ、１ｂ、１ｃ、２ａ、２ｂ、２ｃ及び３ａ、３ｂ、３ｃの各３台）が設置され、画像データを作成し制御装置１に送信する作業端末４（図１では、４ａ、４ｂ、４ｃの３台）と、各画像出力装置２から出力される出力色の管理を行う管理サーバ５を備えている。また、各制御装置１、各作業端末４及び管理サーバ５は、それぞれネットワークを介して接続されている。以下の説明で、「測定して色特性の値を得る」ことを単に「測定する」ということがある。
【００２６】
ネットワークＮは、コンピュータシステム、端末、データ通信設備を相互に接続するものであり、専用回線、公衆回線のような有線での接続でもよいし、通信衛星などを介する無線での接続でもよい。また、いわゆるインターネットなどもこれに含まれる。
【００２７】
作業端末４は、いわゆるＰＣ（Ｐｅｒｓｏｎａｌ  Ｃｏｍｐｕｔｅｒ）で、アプリケーションソフトを備え、アプリケーションソフトを実行させて画像データを作成し、画像出力装置２に接続された制御装置１に送信する機能、ブラウザ機能により管理サーバ５から色管理情報を受信し表示手段（図示せず）に表示する機能を備える。
【００２８】
画像出力装置２は、図示しないが、記録用紙を給紙し更に記録用紙に画像を形成し出力する画像出力部、各種操作や入力を行うための操作パネル、及び、画像出力装置２全体を制御する制御部等を含んで構成され、制御装置１から送信される画像データを受けて画像出力する。
【００２９】
制御装置１は、いわゆるコンピュータであって、キーボードやマウス等の入力手段１１と、ＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）などの表示手段１４と、ネットワークを介し各種情報の送信を行う送信手段及び各種情報の受信を行う受信手段としての機能を有する通信手段１８、画像データ記憶部１３、測定色記憶部１９、及び、制御部１２を含んで構成されている。
【００３０】
画像データ記憶部１３は、画像データを記憶するためのものである。例えば作業端末４で作成され送られた画像データを記憶する。また、本実施の形態で色管理のために用いるカラーチャートを示す画像データを記憶する。
【００３１】
ここで、本実施の形態で用いるカラーチャートについて説明する。本実施の形態では、例としてカラーチャート（１７）、カラーチャート（２７）の２種類のカラーチャートを用いるものとする。
【００３２】
図２にカラーチャート（１７）の一例を示す。図２（ａ）に示すように、カラーチャート（１７）は、測定色として記録用紙の端部近傍に形成された１７個のカラーパッチを含む。また、図２（ｂ）にこの１７個の各カラーパッチのＣＭＹＫによる色構成を示した。
【００３３】
図１６にカラーチャート（２７）の一例を示す。図１６（ａ）に示すように、カラーチャート（２７）は、測定色として記録用紙の端部近傍に形成された２７個のカラーパッチを含む。また、図１６（ｂ）にこの２７個の各カラーパッチのＣＭＹＫによる色構成を示した。このカラーチャート（２７）のカラーパッチは、従来技術で述べたＪＭＰＡカラー準拠の「恒常性管理用カラーパッチ（２７パッチ）」を用いた。
【００３４】
カラーチャート（１７）とカラーチャート（２７）とでは、主に色数が異なり、また、カラーチャート（１７）にはパッチＮｏ.９としてＣＭＹＫを含まない紙白のパッチが用意されているが、カラーチャート（２７）には紙白のパッチは用意されていない。また、各カラーチャートにおけるカラーパッチの配置は、一例であってこれに限るものではない。
【００３５】
測定色記憶部１９は、測定色テーブル１９０と、基準名テーブル１９１とを含んで構成される。測定色テーブル１９０は、上記のカラーチャートのカラーパッチの色を測定色として記憶する。図３に、測定色テーブル１９０の構成を示したが、カラーチャート名と測定色が記憶されている。例えば、カラーチャート（１７）の測定色はファイルＡに記述されていることを示す。ちなみに、測定色はカラーパッチに対応し、ファイルＡには図２（ｂ）に示す色構成が記述されている。
【００３６】
基準名テーブル１９１は、管理サーバ５に登録されている基準値を示す基準名と、その基準値の測定に用いたカラーチャート名とを記憶する。例えば、図４に、基準名テーブル１９１の構成を示したが、基準名「ＡＡＡ」、及び、カラーチャート名「カラーチャート（２７）」を関連付けて記憶し、基準名、及び、カラーチャートとの関係が記憶されている。
【００３７】
制御部１２は、ＣＰＵ等の演算制御装置を含み、プログラムを格納するＲＯＭ等のプログラム格納部（図示省略）を含み、記憶されたプログラムや入力手段１１から出力される各種信号などに従って各部の制御を行う。また、そのプログラムを実行するときのワークエリアを構成するシステムメモリ（図示せず）や不揮発性ＲＡＭなどで構成される図示しない記憶手段を含んで構成される。また、制御部１２は、画像データ記憶部１３に記憶された画像データや、作業端末４から送信される画像データに基づいて画像出力するように画像出力装置２を制御する画像出力制御手段としての機能を有する。例えば、入力手段１１を用いて行われる画像データ記憶部１３に記憶されているカラーチャートの指定を受けて、その指定されたカラーチャートを出力するように画像出力装置２を制御する。また、表示手段１４に画像または画面等を表示する表示制御手段としての機能を有する。
【００３８】
また、制御部１２は、判定手段１５、選択画面表示制御手段１６、及び、測定画面表示制御手段１７とを含んでいる。
【００３９】
選択画面表示制御手段１６は、入力手段１１を用いて行われる測定開始の指示を受けて、基準値の測定または管理値の測定の選択、基準の選択、及び、使用するカラーチャートの選択を行うための色測定選択画面４１を表示手段１４に表示する。また、色測定選択画面４１の画面情報は、例えばプログラム格納部等に記憶されていて、選択画面表示制御手段１６はそのプログラム格納部等から読み出して表示手段１４に表示する（他の表示画面についても同様に行われる。）。
【００４０】
図５に、色測定選択画面４１の一例を示す。図５に示すように色測定選択画面４１は、基準を選択するために基準名が選択可能に表示された基準名欄４１０、カラーチャートを選択するためにカラーチャート名が選択可能に表示されたカラーチャート名表示欄４１１、管理値の取得のときに押下するためのソフトキーである測定キー４１２、基準値を取得するときに押下するための色基準登録キー４１３、使用するカラーチャートを追加するときに用いられる追加キー４１４、及び、基準名欄４１０に表示される基準名を更新するときに用いられる更新キー４１５を含む。また、基準名欄４１０に表示される基準名は、測定色記憶部１９の基準名テーブル１９１に記憶されている基準名が表示される。ただし、更新キー４１５が押下されると、制御部１２は、管理サーバ５に問い合わせを行って、測定色記憶部１９に記憶されている基準名を管理サーバ５に登録されている基準値を示す基準名に更新する。これにより基準名欄４１０の表示も更新される。また、カラーチャート名表示欄４１１に表示されるカラーチャート名は、測定色記憶部１９の測定色テーブル１９０に記憶されているカラーチャート名が表示される。
【００４１】
また、選択画面表示制御手段１６は、基準値を取得するときすなわち色測定選択画面４１の色基準登録キー４１３が押下されると、基準名を入力するための基準名入力画面４２を表示手段１４に表示する。
【００４２】
図６に、基準名入力画面４２の一例を示す。図６に示すように基準名入力画面４２は、基準名を入力するための基準名入力欄４２１、及び、操作（次へ）キー４２２（以下、次へキーという場合がある）を含む。
【００４３】
判定手段１５は、基準値を取得するときに、色測定選択画面４１で選択されたカラーチャートの測定色について、測定色テーブル１９０を参照して紙白が含まれているか否か判定する。
【００４４】
また、選択画面表示制御手段１６は、紙白が含まれていない場合に、紙白の測定を行うか否か、つまり紙白の色特性の値を基準値として取得するか否かを入力するための紙白測定選択画面４３を表示手段１４に表示する。
【００４５】
図７に、紙白測定選択画面４３の一例を示す。図７に示すように紙白測定選択画面４３は、操作（Ｙｅｓ）キー４３１（以下、Ｙｅｓキーという場合がある）、及び、操作（Ｎｏ）キー４３２（以下、Ｎｏキーという場合がある）を含む。
【００４６】
測定画面表示制御手段１７は、測定を行うときに測定画面４４を表示手段１４に表示する。
【００４７】
図８、図９及び図１０に測定画面４４の一例を示す。図８は、カラーチャート（２７）を用い、紙白を測定すると紙白測定選択画面４３を用いて入力されたときの基準値の測定に用いる測定画面４４ａを示し、図９は、カラーチャート（２７）を用い、紙白を測定しないと紙白測定選択画面４３を用いて入力されたときの基準値の測定及びカラーチャート（２７）を用いる管理値の測定に用いる測定画面４４ｂを示し、図１０は、カラーチャート（１７）を用いる基準値及び管理値の測定に用いる測定画面４４ｃを示した。図８、図９及び図１０に示すように測定画面４４は、測定を開始するときに押下するための測定キー４４１、測定が終了したときに押下するめの終了キー４４２、測定色と測定値（色特性の値）を表示する測定値表示欄４４３、及び、測定色を視認可能に表示する測定色表示欄４４４を含む。測定値表示欄４４３及び測定色表示欄４４４は、それぞれカラーチャート及び紙白測定選択画面４３での選択に基づいて表示される。つまり、図８に示す測定画面４４ａでは、カラーチャート（２７）の２７色に加え紙白が測定値表示欄４４３及び測定色表示欄４４４に表示され、図９に示す測定画面４４ｂでは、カラーチャート（２７）の２７色が測定値表示欄４４３及び測定色表示欄４４４に表示され、図１０に示す測定画面４４ｃでは、カラーチャート（１７）の１７色が測定値表示欄４４３及び測定色表示欄４４４に表示される。そして、測色計３を用いて、測定値表示欄４４３に示された各カラーパッチの色の測色が行われる。ただし、カラーチャート（２７）で紙白を測定する場合は、手動測定であれば、チャートの中の紙白領域に測定計３を合わせて測定する。また、自動測定の場合には、チャートの中の紙白領域を測定するように予めプログラムしておけばよい。また、測定値表示欄４４３に示すように本例では、測色計３により色特性の値としてＬ＊ａ＊ｂ＊表色系の値（Ｌ＊、ａ＊、ｂ＊）と濃度（Ｃ濃度、Ｍ濃度、Ｙ濃度、Ｖ濃度）とを測定するようにした。言うまでも無いが、色特性の値は、色彩や濃度を示すものであれば、ＲＧＢ濃度や、表色系の値としてＸＹＺ表色系におけるＸ、Ｙ、Ｚの三刺激値等であってもよい。
【００４８】
制御部１２は、測色計３から各測定値が入力されると、基準値の場合には、測定により得られた基準値に、基準値を示す識別情報、画像出力装置の識別情報、基準名入力画面４２を用いて入力された基準名、色測定選択画面４１を用いて選択されたカラーチャート名、及び、紙白測定の有無を付帯情報として通信手段１８を送信手段として管理サーバ５に送る。管理値の場合には、測定により得られた管理値に、管理値を示す識別情報、画像出力装置の識別情報、色測定選択画面４１を用いて選択された基準名及びカラーチャート名を付帯情報として通信手段１８を送信手段として管理サーバ５に送る。
【００４９】
管理サーバ５は、いわゆる、コンピュータであって、キーボードやマウス等の入力手段（図示せず）と、ＣＲＴやＬＣＤなどの表示手段（図示せず）と、サーバを含む装置本体と、を備えている。また、管理サーバ５は、基準値格納手段５３（記憶手段）、色管理情報生成手段５１（算出手段）、色管理情報格納手段５５、及び、通信手段５２を含んでいる。
【００５０】
基準値格納手段５３は、制御装置１から送られる基準値及び付帯情報を受け、図１１に示すように記憶する。図１１に基準値格納手段５３の構成を示す。図１１に示すように、画像出力装置の識別情報、基準名、カラーチャート名、紙白測定の有無、及び、基準値が格納される。
【００５１】
色管理情報生成手段５１は、制御装置１から送られる管理値及び付帯情報を受け、基準値格納手段５３を検索して受けた管理値の付帯情報が示す画像出力装置の基準名の基準値を読み出して、管理値と基準値とに基づいて色管理情報を生成する。色管理情報は、色差ΔＥ、濃度差ΔＤ、または、グレーバランスなどの少なくともいずれか１つを含む。
【００５２】
ちなみに色差は、Ｌ＊値、ａ＊値、ｂ＊値の差をΔＬ＊値、Δａ＊値、Δｂ＊値とすれば、
ΔＥ＝{（ΔＬ＊）２＋（Δａ＊）２＋（Δｂ＊）２}１／２
として求めることができる。
【００５３】
また、付帯情報から、カラーチャートが、カラーチャート（１７）の場合には、色管理情報にドットゲインが含まれる。また、カラーチャート（２７）で紙白測定無の場合には、ドットゲインが含まれない。また、カラーチャート（２７）で紙白測定有の場合には、色管理情報にドットゲインが含まれ、この場合には、基準値については、基準値の紙白と測定色の測定値からドットゲインを求め、管理値については、紙白は測定していないが、紙白の変動は小さいものであるから基準値の紙白を用い、基準値の紙白と管理値の測定色の測定値からドットゲインを求める。つまり、中間調５０％の場合を例にすると、基準値のベタの濃度をｄｋｘ、中間調（５０％）の濃度をｄｋｘ（５０）、紙白の濃度をＷｋ、ｄｋ１＝ｄｋｘ−Ｗｋ、ｄｋ２＝ｄｋｘ（５０）−Ｗｋとすれば、基準値のドットゲインｄｋｇは、
ｄｋｇ＝{（１００×（１−１０（−１．０×ｄｋ２）））／（１−１０（−１．０×ｄｋ１））}−５０
となり、管理値のベタの濃度をｄｔｘ、中間調（５０％）の濃度をｄｔｘ（５０）とし、紙白の濃度は基準値のＷｋを用いてｄｔ１＝ｄｔｘ−Ｗｋ、ｄｔ２＝ｄｔｘ（５０）−Ｗｋとすれば、ドットゲインｄｔｇは、
ｄｔｇ＝{（１００×（１−１０（−１．０×ｄｔ２）））／（１−１０（−１．０×ｄｔ１））}−５０
として求めることができる。
【００５４】
また、色差、濃度差及びドットゲイン差について予め許容値を定めておき、許容値を用いて合否判定を行いその結果を色管理情報とすることも可能である。
【００５５】
また、色管理情報生成手段５１は、色管理情報を制御装置１の表示手段１４や、作業端末４の図示しない表示手段に表示可能な表示情報として生成し、色管理情報格納手段５５に記憶する。そして、制御装置１や作業端末４から色管理情報の提供要求があった場合には、通信手段５２を介して色管理情報の表示情報を送信する。
【００５６】
図１２に、色管理情報の表示の一例を示す。図１２に示す色管理情報は、カラーチャート（２７）を用い紙白の測定を行った場合のもので、基準値及び管理値の２７のパッチの各Ｌ＊ａ＊ｂ＊表色系の値及び各色差の表示と、基準値及び管理値のドットゲイン及び基準値及び管理値のドットゲインの差の表示とを含む。
【００５７】
（色管理手順）
次に、当該色管理システムにおいて行われる出力色の色管理手順について図１３乃至図１５を用いて説明する。
【００５８】
＜基準値、管理値の測定＞
図１３は、基準値及び管理値の測定の手順を示すフローチャートである。図１３を用いて、基準値及び管理値の測定手順について説明する。
【００５９】
（カラーチャート（２７）、紙白測定有りの基準値の測定の場合）
まず、管理の初期において、カラーチャート（２７）を用いる基準値の測定で、紙白を測定する場合について説明する。作業者は、制御装置１のキーボードやマウス等の入力手段１１を操作して、画像出力装置２によりカラーチャート（２７）を出力する。そして、作業者は、制御装置１のキーボードやマウス等の入力手段１１を操作して、色の測定を開始する入力を行う（ステップＳ１０１、Ｙ。以下「ステップＳ１０１」は「Ｓ１０１」のように省略して表す。他のステップも同様。）。制御部１２の選択画面表示制御手段１６は、この入力を受けて色測定選択画面４１（図５参照）を表示手段１４に表示する（Ｓ１０２）。次に、作業者は、カラーチャート名表示欄４１１でカラーチャート（２７）を選択し、色基準登録キー４１３を押下すると（実際には、マウスを用いてクリックすることで押下している。他のキーも同様。）、選択画面表示制御手段１６は、さらに基準名入力画面４２（図６参照）を表示手段１４に表示し、作業者は、基準名入力欄４２１に基準名を入力し、次へキー４２２を押下する（Ｓ１０３、Ｙ）。
【００６０】
ここで、判定手段１５は、基準値の測定開始と判断し（Ｓ１０４、基準登録）、測定色テーブル１９０を参照してカラーチャート（２７）の測定色に紙白が含まれないことを判定する（Ｓ１０５、Ｎ）。この判定結果を受け、選択画面表示制御手段１６は、紙白測定選択画面４３（図７参照）を表示画面１４に表示する（Ｓ１０６）。作業者は、紙白の測定を行うので、操作（Ｙｅｓ）キー４３１を押下する（Ｓ１０７、Ｙ）。
【００６１】
測定画面表示制御手段１７は、カラーチャート（２７）を用い紙白の測定を行う基準値の測定に用いる測定画面４４ａ（図８参照）を表示手段１４に表示する（Ｓ１０８）。
【００６２】
作業者が、測定キー４４１を押下すると、測定値の待ち受け状態となり、作業者が、測色計３でまず出力したカラーチャート（２７）の紙白を測定し続いてカラーパッチを番号順に測定していくと、制御部１２はそれらの測定値を受け付けてシステムメモリ（図示せず）或いは不揮発性ＲＡＭなどに記憶し、測定画面表示制御手段１７は、測定値表示欄４４３に表示する。そして、測定が終了し、作業者が、終了キー４４２を押下すると（Ｓ１０９、Ｙ）、制御部１２は、測定値を基準値とし、基準値を示す識別情報、画像出力装置の識別情報、基準名入力画面４２を用いて入力された基準名、色測定選択画面４１を用いて選択されたカラーチャート名「カラーチャート（２７）」、及び、紙白測定有を付帯情報として付帯して通信手段１８を介して管理サーバ５に送る（Ｓ１１０）。
【００６３】
（カラーチャート（２７）、紙白測定無しの基準値の測定の場合）
次に、カラーチャート（２７）を用いる基準値の測定で、紙白を測定しない場合について説明する。作業者は、制御装置１のキーボードやマウス等の入力手段１１を操作して、画像出力装置２によりカラーチャート（２７）を出力する。そして、作業者は、制御装置１のキーボードやマウス等の入力手段１１を操作して、色の測定を開始する入力を行う（ステップＳ１０１、Ｙ）。制御部１２の選択画面表示制御手段１６は、この入力を受けて色測定選択画面４１（図５参照）を表示手段１４に表示する（Ｓ１０２）。次に、作業者は、カラーチャート名表示欄４１１でカラーチャート（２７）を選択し、色基準登録キー４１３を押下すると、選択画面表示制御手段１６は、さらに基準名入力画面４２（図６参照）を表示手段１４に表示し、作業者は、基準名入力欄４２１に基準名を入力し、次へキー４２２を押下する（Ｓ１０３、Ｙ）。
【００６４】
ここで、判定手段１５は、基準値の測定開始と判断し（Ｓ１０４、基準登録）、測定色テーブル１９０を参照してカラーチャート（２７）の測定色に紙白が含まれないことを判定する（Ｓ１０５、Ｎ）。この判定結果を受け、選択画面表示制御手段１６は、紙白測定選択画面４３（図７参照）を表示画面１４に表示する（Ｓ１０６）。作業者は、紙白の測定を行わないので、操作（Ｎｏ）キー４３１を押下する（Ｓ１０７、Ｙ）。
【００６５】
測定画面表示制御手段１７は、カラーチャート（２７）を用い紙白の測定を行わない基準値の測定に用いる測定画面４４ｂ（図９参照）を表示手段１４に表示する（Ｓ１１１）。
【００６６】
作業者が、測定キー４４１を押下すると、測定値の待ち受け状態となり、作業者が、測色計３でまず出力したカラーチャート（２７）のカラーパッチを番号順に測定していくと、制御部１２はそれらの測定値を受け付けてシステムメモリ（図示せず）或いは不揮発性ＲＡＭなどに記憶し、測定画面表示制御手段１７は、測定値表示欄４４３に表示する。そして、測定が終了し、作業者が、終了キー４４２を押下すると（Ｓ１１２、Ｙ）、制御部１２は、測定値を基準値とし、基準値を示す識別情報、画像出力装置の識別情報、基準名入力画面４２を用いて入力された基準名、色測定選択画面４１を用いて選択されたカラーチャート名「カラーチャート（２７）」、及び、紙白測定無を付帯情報として付帯して通信手段１８を介して管理サーバ５に送る（Ｓ１１３）。
【００６７】
（カラーチャート（１７）の基準値の測定の場合）
さらに、カラーチャート（１７）を用いる基準値の測定の場合について説明する。作業者は、制御装置１のキーボードやマウス等の入力手段１１を操作して、画像出力装置２によりカラーチャート（１７）を出力する。そして、作業者は、制御装置１のキーボードやマウス等の入力手段１１を操作して、色の測定を開始する入力を行う（ステップＳ１０１、Ｙ）。制御部１２の選択画面表示制御手段１６は、この入力を受けて色測定選択画面４１（図５参照）を表示手段１４に表示する（Ｓ１０２）。次に、作業者は、カラーチャート名表示欄４１１でカラーチャート（１７）を選択し、色基準登録キー４１３を押下すると、選択画面表示制御手段１６は、さらに基準名入力画面４２（図６参照）を表示手段１４に表示し、作業者は、基準名入力欄４２１に基準名を入力し、次へキー４２２を押下する（Ｓ１０３、Ｙ）。
【００６８】
ここで、判定手段１５は、基準値の測定開始と判断し（Ｓ１０４、基準登録）、測定色テーブル１９０を参照してカラーチャート（１７）の測定色に紙白が含まれることを判定する（Ｓ１０５、Ｙ）。この判定結果を受け、測定画面表示制御手段１７は、カラーチャート（１７）を用いる基準値の測定に用いる測定画面４４ｃ（図１０参照）を表示手段１４に表示する（Ｓ１１１）。
【００６９】
作業者が、測定キー４４１を押下すると、測定値の待ち受け状態となり、作業者が、測色計３でまず出力したカラーチャート（１７）のカラーパッチを番号順に測定していくと（カラーチャート（１７）のカラーパッチには紙白が含まれている）、制御部１２はそれらの測定値を受け付けてシステムメモリ（図示せず）或いは不揮発性ＲＡＭなどに記憶し、測定画面表示制御手段１７は、測定値表示欄４４３に表示する。そして、測定が終了し、作業者が、終了キー４４２を押下すると（Ｓ１１２、Ｙ）、制御部１２は、測定値を基準値とし、基準値を示す識別情報、画像出力装置の識別情報、基準名入力画面４２を用いて入力された基準名、色測定選択画面４１を用いて選択されたカラーチャート名「カラーチャート（１７）」、及び、紙白測定有を付帯情報として付帯して通信手段１８を介して管理サーバ５に送る（Ｓ１１３）。
【００７０】
（管理値の測定の場合）
さらに次に、管理値の測定の場合について説明する。作業者は、管理時期になったら、具体的には基準値を測定してから所定の期間経過後、或いは、インクなどのロットが変わったときなどに、制御装置１のキーボードやマウス等の入力手段１１を操作して、画像出力装置２によりカラーチャート（１７）またはカラーチャート（２７）を出力する。そして、作業者は、制御装置１のキーボードやマウス等の入力手段１１を操作して、色の測定を開始する入力を行う（ステップＳ１０１、Ｙ）。制御部１２の選択画面表示制御手段１６は、この入力を受けて色測定選択画面４１（図５参照）を表示手段１４に表示する（Ｓ１０２）。次に、作業者は、カラーチャート名表示欄４１１で測定に用いるカラーチャートの選択及び基準名欄４１０で比較対照とする基準値の選択を行い、測定キー４１２を押下すると（Ｓ１０３、Ｙ）、ここで、判定手段１５は、管理値の測定開始と判断し（Ｓ１０４、日常データ）、測定画面表示制御手段１７は、管理値の測定に用いる測定画面として、色測定選択画面４１でカラーチャート（１７）が選択された場合には測定画面４４ｃを、色測定選択画面４１でカラーチャート（２７）が選択された場合には測定画面４４ｂを表示手段１４に表示する（Ｓ１１４）。
【００７１】
作業者が、測定キー４４１を押下すると、測定値の待ち受け状態となり、作業者が、測色計３でまず出力したカラーチャート（１７）またはカラーチャート（２７）のカラーパッチを番号順に測定していくと、制御部１２はそれらの測定値を受け付けてシステムメモリ（図示せず）或いは不揮発性ＲＡＭなどに記憶し、測定画面表示制御手段１７は、測定値表示欄４４３に表示する。そして、測定が終了し、作業者が、終了キー４４２を押下すると（Ｓ１１５、Ｙ）、制御部１２は、測定値を管理値とし、管理値を示す識別情報、画像出力装置の識別情報、色測定選択画面４１を用いて選択された基準名及びカラーチャート名を付帯情報として付帯して通信手段１８を介して管理サーバ５に送る（Ｓ１１６）。
【００７２】
＜管理サーバにおける処理＞
図１４、図１５は、管理サーバ５における基準値及び管理値についての処理の手順を示すフローチャートである。図１４、図１５を用いて、管理サーバ５における処理手順について説明する。
【００７３】
管理サーバ５は、制御装置１から送信された測定値を受け（Ｓ２０１、Ｙ）、付帯情報を参照し基準値であれば（Ｓ２０２、基準値）、基準値格納手段５３に、画像出力装置の識別情報、基準名、カラーチャート名、紙白測定の有無、及び、基準値を記憶する（図１１参照）（Ｓ２０５）。
【００７４】
また、付帯情報を参照し管理値であれば（Ｓ２０２、管理値）、色管理情報生成手段５１は、基準値格納手段５３を検索して受けた管理値の付帯情報が示す画像出力装置の基準名の基準値を読み出して、管理値と基準値とに基づいて色管理情報を生成する（Ｓ２０３）。色管理情報は、上述したように色差ΔＥ、濃度差ΔＤ、または、グレーバランスなどの少なくともいずれか１つを含む。また、基準値の付帯情報を参照し、紙白測定有無を判断し、有りの場合には色管理情報としてドットゲインについての情報を上述のようにして生成する。また、色管理情報は、表示手段に表示可能な表示情報として生成される。そして、色管理情報格納手段５５は、生成された色管理情報を記憶する（Ｓ２０４）。
【００７５】
例えば、作業者が、作業端末４からブラウザ機能を用いて、色管理情報を送信するように要求を行うと、管理サーバ５はこの要求を受けて（Ｓ３０１、Ｙ）、要求もとの作業端末４に要求された色管理情報を送信する（Ｓ３０２）そして、作業端末４において、例えば図１２に示したような色管理情報を表示する。また、同様にして制御手段１に色管理情報を表示することも可能である。
【００７６】
上述のようにして測定色に紙白を含まないカラーチャート（２７）を用いる場合であっても、ドットゲインを管理できる。また、紙白選択画面４３を用いることにより紙白測定を選択的に実施可能とした。
【００７７】
また、上記の説明では、紙白選択画面４３を表示しないで、紙白を含まない場合には（Ｓ１０５、Ｎ）Ｓ１０８に遷移し、紙白の測定を自動的に実施可能にするようにしてもよい。
【００７８】
また、管理サーバ５の色管理に関する機能である色管理情報格納手段５５、基準値格納手段５３及び色管理情報生成手段５１の機能を制御装置１に備える構成にして、制御装置１で色管理を行うようにすることも可能である。
【図面の簡単な説明】
【００７９】
【図１】本発明に係る第１の実施の形態の色管理システムのシステム構成を示す機能ブロック図である。
【図２】カラーパッチの構成の一例を示す説明図である。
【図３】図１に示す測定色記憶部に記憶される測定色テーブルの構成の一例を示す図である。
【図４】図１に示す測定色記憶部に記憶される基準名テーブルの構成の一例を示す図である。
【図５】本実施の形態において表示手段に表示される色測定選択画面の一例を示す図である。
【図６】本実施の形態において表示手段に表示される基準名入力画面の一例を示す図である。
【図７】本実施の形態において表示手段に表示される紙白測定選択画面の一例を示す図である。
【図８】本実施の形態において表示手段に表示される測定画面の一例を示す図である。
【図９】本実施の形態において表示手段に表示される測定画面の一例を示す図である。
【図１０】本実施の形態において表示手段に表示される測定画面の一例を示す図である。
【図１１】図１に示す基準値格納手段に記憶される情報の構成の一例を示す図である。
【図１２】本実施の形態において表示される色管理情報の一例を示す図である。
【図１３】図１の制御装置における基準値及び管理値の測定の手順を示すフローチャートである。
【図１４】図１の管理サーバにおける基準値及び管理値についての処理の手順を示すフローチャートである。
【図１５】図１の管理サーバにおける基準値及び管理値についての処理の手順を示すフローチャートである。
【図１６】カラーパッチの構成の一例を示す説明図である。
【符号の説明】
【００８０】
１  制御装置
２  画像出力装置
３  測色計
４  作業端末
５  管理サーバ
１１  入力手段
１２  制御部
１３  画像データ記憶部
１４  表示手段
１５  判定手段
１６  選択画面表示制御手段
１７  測定画面表示制御手段
１８  通信手段
１９  測定色記憶部
５１  色管理情報生成手段
５２  通信手段
５３  基準値格納手段
５５  色管理情報格納手段
１９０  測定色テーブル
１９１  基準名テーブル
Ｎ  ネットワーク
【図１】
2007223131.tif 000003
【図２】
2007223131.tif 000004
【図３】
2007223131.tif 000005
【図４】
2007223131.tif 000006
【図５】
2007223131.tif 000007
【図６】
2007223131.tif 000008
【図７】
2007223131.tif 000009
【図８】
2007223131.tif 000010
【図９】
2007223131.tif 000011
【図１０】
2007223131.tif 000012
【図１１】
2007223131.tif 000013
【図１２】
2007223131.tif 000014
【図１３】
2007223131.tif 000015
【図１４】
2007223131.tif 000016
【図１５】
2007223131.tif 000017
【図１６】
2007223131.tif 000018